(57)【特許請求の範囲】
【請求項１】
液透過性の表面シート、液不透過性の裏面層及び該表面シート及び該裏面層の間に配置される吸収体を備えると共に、互いに対向する第１端部及び第２端部と、該第１端部及び該第２端部に直交し互いに対向する一対の側部と、を有して矩形形状に構成され、ペットの胴回りに巻きつけられて装着されるペット用吸収性物品であって、
前記第１端部の前記裏面層側に配置され前記ペット用吸収性物品の幅方向に沿って延びる第１フック部材と、
前記第２端部の前記裏面層側に配置され前記ペット用吸収性物品の幅方向に沿って延びる第２フック部材と、
前記第２端部の近傍における前記表面シート側に設けられ前記第１フック部材に係合可能な第１フック部材係合部と、
前記第１端部の近傍の前記裏面層側であって、前記第１フック部材よりも前記第２端部側に設けられる第２フック部材係合部と、を備え、
ペットの胴回りに巻きつけた状態で、前記第１フック部材と前記第１フック部材係合部とを係合させると共に、前記第２端部を折り返して前記第２フック部材と前記第２フック部材係合部とを係合させて装着可能なペット用吸収性物品。
【請求項２】
前記第２フック部材は、前記吸収体が配置されていない領域に配置される請求項１に記載のペット用吸収性物品。
【請求項３】
前記第１端部の近傍における前記表面シート側に設けられ前記第２フック部材に係合可能な第３フック部材係合部と、
前記第２端部の近傍の前記裏面層側における前記第２フック部材よりも前記第１端部側に設けられ該第１フック部材が係合可能な第４フック部材係合部と、を更に備える請求項１又は２に記載のペット用吸収性物品。
【請求項４】
前記表面シートは、前記第１フック部材に係合可能な不織布により構成され、
前記第１フック部材係合部及び前記第３フック部材係合部は、前記表面シートを含んで構成される請求項３に記載のペット用吸収性物品。
【請求項５】
前記裏面層は、前記第１フック部材及び前記第２フック部材に係合可能な不織布を含んで構成され、
前記第２フック部材係合部及び前記第４フック部材係合部は、前記裏面層を構成する不織布により構成される請求項３又は４に記載のペット用吸収性物品。
【請求項６】
前記第２フック部材は、前記ペット用吸収性物品の幅方向に離間して配置される複数の分離フック部材により構成される請求項１〜５のいずれかに記載のペット用吸収性物品。
【請求項７】
請求項１〜６のいずれかに記載のペット用吸収性物品の製造方法であって、
帯状の表面シートと帯状の裏面層との間に、長手方向に所定間隔をあけて吸収体を配置して吸収性物品本体の連続体を形成する連続体形成工程と、
前記吸収性物品本体の連続体における前記帯状の裏面層側に、長手方向に所定間隔をあけてフック部材を配置するフック部材配置工程と、
前記吸収性物品本体の連続体における前記フック部材が配置された位置において、該吸収性物品本体の連続体を幅方向に切断する切断工程と、を備えるペット用吸収性物品の製造方法。
【請求項８】
前記フック部材配置工程において、前記フック部材は、前記吸収性物品本体の連続体における前記吸収体が配置されていない領域に配置される請求項７に記載のペット用吸収性物品の製造方法。
【発明の詳細な説明】
【技術分野】
【０００１】
本発明は、犬やネコ等のペットの胴回りに巻きつけて用いられるペット用吸収性物品に関する。
【背景技術】
【０００２】
従来、犬やネコ等のペットに用いられるペット用使い捨ておむつが提案されている。このようなペット用使い捨ておむつは、装着状態において、ペットの肛門部及び後足の付け根間に位置する尿道口を覆うことで、ペットの糞及び尿を捕捉している。
【０００３】
ところで、ペットの種類（例えば、胴長短足犬であるミニチュアダックスフンド）によっては、尿道口の位置が後足の付け根間よりも前方に位置する場合がある。また、雄犬は、雌犬に比して、尿道口が前方に位置する。このように、尿道口が後足の付け根間よりも前方に位置するペットに、ペット用使い捨ておむつを装着した場合には、おむつから尿道口が露出してしまい、ペットの尿がもれてしまう場合があった。
【０００４】
そこで、帯状に構成されると共に、ペットの胴回り部に巻きつけて装着されるペット用吸収性物品が提案されている（例えば、特許文献１参照）。
このような、帯状に構成されたペット用吸収性物品によれば、尿道口の位置にかかわらず、確実に尿道口を覆って装着させられる。
【先行技術文献】
【特許文献】
【０００５】
【特許文献１】特開２００７−２０５３３号公報
【発明の概要】
【発明が解決しようとする課題】
【０００６】
特許文献１で提案されたような、胴回りに巻きつけて用いられるペット用吸収性物品は、例えば、以下の手順でペットに装着される。
まず、ペット用吸収性物品の長手方向の一端部である第１端部をペットの背中に位置させて、この第１端部の近傍を装着者の片方の手で押さえる。次いで、第１端部を一方の手で押さえたまま、ペット用吸収性物品の他端部である第２端部を他方の手で持って、ペット用吸収性物品をペットの腹側を覆うように巻きつける。次いで、ペット用吸収性物品の第２端部を引っ張って、ペット用吸収性物品の長手方向に沿う側部と、ペットの胴回りとを密着させ、この状態で、ペット用吸収性物品の第２端部の近傍における内面を第１端部の外面に係合させる。これにより、ペット用吸収性物品がペットの胴回りに好適に巻きつけられた状態が保持される。
【０００７】
ペット用吸収性物品における第１端部と第２端部との係合は、例えば、第１端部の外面にフック部材を配置し、第２端部の近傍の内面に、このフック部材に係合可能なループ材を配置し、これらフック部材とループ材とを係合させることにより行われる。
ここで、ペット用吸収性物品の装着対象のペットの胴回りの大きさによって、ペットの背中に配置された第１端部の外面に係合される第２端部の位置は異なる。即ち、装着対象のペットの胴回りの大きさが大きい場合には、第１端部の外面には、第２端部の近傍における、より第２端部の端縁側が係合される。一方、装着対象のペットの胴回りの大きさが小さい場合には、第１端部の外面には、第２端部の近傍における、第２端部の端縁から所定の長さ第１端部よりの部分が係合される。
【０００８】
このように、第１端部の外面にフック部材を配置したペット用吸収性物品において、第２端部の端縁から所定の長さ第１端部よりの位置で第２端部の近傍が第１端部に係合された場合には、第２端部の近傍における第１端部との係合位置よりも第２端部の端縁側は、第１端部側の外面に係合されず、自由端となってしまう。そのため、胴回りの大きさの小さいペットにペット用吸収性物品を装着した場合には、装着後のペットの動き等により、第２端部の端縁側がめくれ上がってしまう。そして、このめくれ上がった第２端部の端縁側が室内に配置された家具等に引っ掛って第１端部と第２端部との係合が外れてしまう場合があった。
【０００９】
従って、本発明は、ペットの胴回りに巻きつけて用いられるペット用吸収性物品において、装着後に長手方向の端部がめくれ上がりにくいペット用吸収性物品を提供することを目的とする。
【課題を解決するための手段】
【００１０】
本発明は、液透過性の表面シート、液不透過性の裏面層及び該表面シート及び該裏面層の間に配置される吸収体を備えると共に、互いに対向する第１端部及び第２端部と、該第１端部及び該第２端部に直交し互いに対向する一対の側部と、を有して矩形形状に構成され、ペットの胴回りに巻きつけられて装着されるペット用吸収性物品であって、前記第１端部の前記裏面層側に配置され前記ペット用吸収性物品の幅方向に沿って延びる第１フック部材と、前記第２端部の前記裏面層側に配置され前記ペット用吸収性物品の幅方向に沿って延びる第２フック部材と、前記第２端部の近傍における前記表面シート側に設けられ前記第１フック部材に係合可能な第１フック部材係合部と、前記第１端部の近傍の前記裏面層側であって、前記第１フック部材よりも前記第２端部側に設けられる第２フック部材係合部と、を備え、ペットの胴回りに巻きつけた状態で、前記第１フック部材と前記第１フック部材係合部とを係合させると共に、前記第２端部を折り返して前記第２フック部材と前記第２フック部材係合部とを係合させて装着可能なペット用吸収性物品に関する。
【００１１】
また、前記第２フック部材は、前記吸収体が配置されていない領域に配置されることが好ましい。
【００１２】
また、ペット用吸収性物品は、前記第１端部の近傍における前記表面シート側に設けられ前記第２フック部材に係合可能な第３フック部材係合部と、前記第２端部の近傍の前記裏面層側における前記第２フック部材よりも前記第１端部側に設けられ該第１フック部材が係合可能な第４フック部材係合部と、を更に備えることが好ましい。
【００１３】
また、前記表面シートは、前記第１フック部材に係合可能な不織布により構成され、前記第１フック部材係合部及び前記第３フック部材係合部は、前記表面シートを含んで構成されることが好ましい。
【００１４】
また、前記裏面層は、前記第１フック部材及び前記第２フック部材に係合可能な不織布を含んで構成され、前記第２フック部材係合部及び前記第４フック部材係合部は、前記裏面層を構成する不織布により構成されることが好ましい。
【００１５】
また、前記第２フック部材は、前記ペット用吸収性物品の幅方向に離間して配置される複数の分離フック部材により構成されることが好ましい。
【００１６】
また、本発明は、帯状の表面シートと帯状の裏面層との間に、長手方向に所定間隔をあけて吸収体を配置して吸収性物品本体の連続体を形成する連続体形成工程と、前記吸収性物品本体の連続体における前記帯状の裏面層側に、長手方向に所定間隔をあけてフック部材を配置するフック部材配置工程と、前記吸収性物品本体の連続体における前記フック部材が配置された位置において、該吸収性物品の連続体を幅方向に切断する切断工程と、を備えるペット用吸収性物品の製造方法に関する。
【００１７】
また、前記フック部材配置工程において、前記フック部材は、前記吸収性物品の連続体における前記吸収体が配置されていない領域に配置されることが好ましい。
【発明の効果】
【００１８】
本発明のペット用吸収性物品によれば、装着後に長手方向の端部がめくれ上がりにくい。
【図面の簡単な説明】
【００１９】
【図１】本発明の第１実施形態に係るペット用吸収性物品を示す斜視図である。
【図２】第１実施形態のペット用吸収性物品を表面シート側から視た平面図である。
【図３】第１実施形態のペット用吸収性物品を裏面層側から視た平面図である。
【図４】図２のＡ−Ａ線断面図である。
【図５】図１のＢ−Ｂ線断面図である。
【図６】図２のＣ−Ｃ線断面図である。
【図７】第１実施形態のペット用吸収性物品をペットに装着する過程を示す図であり、第２端部側をペットの背中に位置させた状態を示す図である。
【図８】第１実施形態のペット用吸収性物品をペットの胴回りに装着した状態を示す図である。
【図９】ペットの胴回りに装着した第１実施形態のペット用吸収性物品の第２端部を折り返した状態を示す図である。
【図１０】第１実施形態のペット用吸収性物品を装着したペットに、更にペット用おむつを装着した状態を示す図である。
【図１１Ａ】第１実施形態のペット用吸収性物品の製造方法における連続体形成工程を模式的に示す平面図である。
【図１１Ｂ】第１実施形態のペット用吸収性物品の製造方法におけるフック部材配置工程を模式的に示す平面図である。
【図１１Ｃ】第１実施形態のペット用吸収性物品の製造方法における切断工程を模式的に示す平面図である。
【図１２】第２実施形態のペット用吸収性物品を裏面層側から視た平面図である。
【図１３】第２実施形態のペット用吸収性物品をペットの胴回りに装着した状態を示す図である。
【図１４】第２実施形態のペット用吸収性物品を装着したペットに、更にペット用おむつを装着した状態を示す図である。
【図１５】第３実施形態のペット用吸収性物品を裏面層側から視た平面図である。
【図１６】ペット用吸収性物品における第１フック部材及び第２フック部材の変形例を示す平面図である。
【発明を実施するための形態】
【００２０】
以下、本発明のペット用吸収性物品の好ましい各実施形態について、図面を参照しながら説明する。まず、第１実施形態のペット用吸収性物品１について、図１〜図６を参照しながら説明する。
【００２１】
第１実施形態のペット用吸収性物品１は、図１〜図３に示すように、互いに対向する第１端部１１及び第２端部１２と、これら第１端部１１及び第２端部１２に直交し互いに対向する一対の側部１７と、を有して矩形形状に構成され、ペットの胴回り部に巻きつけて装着される。このペット用吸収性物品１は、尿道口が後足の付け根間よりも前方に位置するペット（例えば、ミニチュアダックスフンド等の胴長短足犬）に特に好適に用いられる。
【００２２】
ペット用吸収性物品１は、図１〜図６に示すように、液透過性の表面シート２と、液不透過性の裏面層３を構成する裏面シート３１及び防水シート３２と、吸収体４と、一対のサイドシート５と、第１弾性部材６１及び第２弾性部材６２と、第１フック部材７１と、第２フック部材７２と、第１フック部材係合部８１と、第２フック部材係合部８２と、第３フック部材係合部８３と、第４フック部材係合部８４と、を備える。
【００２３】
表面シート２は、矩形形状に構成される。表面シート２は、主として、装着対象のペットの身体に当接する側の面を構成する。表面シート２としては、有孔又は無孔の不織布を用いることができる。
第１実施形態では、表面シート２は、後述する第１フック部材７１又は第２フック部材７２と係合可能な不織布により構成される。第１フック部材７１又は第２フック部材７２に係合可能な表面シート２としては、エアスルー不織布やポイントボンド不織布が挙げられる。その中でも、フック部材との間で好適な係合力を発揮するという観点から、エアスルー不織布を好適に用いることができる。また、エアスルー不織布に対して、後処理として熱エンボス処理を施してもよい。これにより、エアスルー不織布の構成繊維間の接着強度を高められ、フック部材が係合した場合における耐久性を向上できる。
【００２４】
裏面シート３１は、図３〜図６に示すように、表面シート２よりも幅広で、表面シート２と略等しい長さの矩形形状に構成される。裏面シート３１は、ペット用吸収性物品１の反身体側の面を構成する。
防水シート３２は、図４〜図６に示すように、裏面シート３１よりも幅狭、かつ、表面シート２よりも幅広に構成され、裏面シート３１における表面シート２側の面に配置される。
裏面シート３１及び防水シート３２としては、疎水性の不織布、不透水性のプラスティックフィルム、不織布と不透水性プラスティックフィルムとのラミネートシート、耐水性の高いメルトブローン不織布を強度の強いスパンボンド不織布で挟んだＳＭＳ不織布等を用いることができる。第１実施形態では、裏面シート３１は、後述の第１フック部材７１及び第２フック部材７２に係合可能な不織布により構成される。
【００２５】
吸収体４は、図５に示すように、重ね合わせられた表面シート２及び裏面層３の間に介在配置される。吸収体４は、図２及び図３に示すように、表面シート２及び裏面シート３１よりも幅が狭く、かつ、長さの短い矩形形状に構成される。吸収体４は、平面視において、表面シート２及び裏面シート３１の幅方向の略中央部に配置される。吸収体４は、第１端部１１の近傍及び第２端部１２の近傍には、配置されない。吸収体４としては、フラッフ状パルプ及び高吸収ポリマーを、ティッシュ等のコアラップ材により被覆したものを用いることができる。
吸収体４に用いられるフラッフ状パルプとしては、例えば、化学パルプ、セルロース繊維、レーヨン、アセテート等の人工セルロース繊維が挙げられる。高吸収ポリマーとしては、デンプン系、アクリル酸系、アミノ酸系の粒子状又は繊維状のポリマーが挙げられる。
【００２６】
一対のサイドシート５は、図２に示すように、細長い矩形形状に構成され、表面シート２の長手方向に沿う側部の身体側にそれぞれ配置される。一対のサイドシート５の長さは、表面シート２及び裏面シート３１の長さと略等しく構成される。一対のサイドシート５の外側縁は、図４〜図６に示すように、裏面シート３１の側縁の位置と一致している。一対のサイドシート５の外側縁側は、裏面シート３１の側部に接合されている。
【００２７】
一対のサイドシート５の内側縁の一部は、図１及び図５に示すように、自由端となっている。より具体的には、一対のサイドシート５の内側縁は、図４及び図６に示すように、ペット用吸収性物品１の第１端部１１の近傍、及び第２端部１２の近傍において、表面シート２に接合されている。そして、一対のサイドシート５の内側縁は、図１及び図５に示すように、一対のサイドシート５における長手方向ＬＤの一端部及び他端部を除く部分において、自由端となっている。
【００２８】
サイドシート５としては、撥水性又は疎水性を有するものが好ましく用いられ、具体的には、スパンレース不織布、スパンボンド不織布、サーマルボンド不織布、メルトブローン不織布、ニードルパンチ不織布、エアスルー不織布等の各種不織布を用いることができる。不織布を構成する素材繊維としてはポリエチレン又はポリプロピレン等のオレフィン系、ポリエステル系、ポリアミド系等の合成繊維の他、レーヨンやキュプラ等の再生繊維、綿等の天然繊維を用いることができる。第１実施形態では、サイドシート５は、第１フック部材７１及び第２フック部材７２に係合可能な不織布により構成される。
【００２９】
第１弾性部材６１は、図１〜図３に示すように、一対のサイドシート５それぞれの内側縁近傍に配置される。より具体的には、第１弾性部材６１は、図５に示すように、内側縁側で折り返されたサイドシート５の間に挟まれると共に、ホットメルト接着剤により伸長状態でサイドシート５に固定される。第１弾性部材６１は、図２及び図３に示すように、伸長状態において、吸収体４の長手方向の長さと略同じ長さで一対のサイドシート５に配置される。
【００３０】
第２弾性部材６２は、図１〜図３に示すように、ペット用吸収性物品１の長手方向ＬＤに沿う一対の側部１７それぞれに配置される。より具体的には、第２弾性部材６２は、図５に示すように、一対のサイドシート５と裏面シート３１との間に配置される。また、第２弾性部材６２は、伸長状態で、ホットメルト接着剤により、サイドシート５及び裏面シート３１に固定される。
第２弾性部材６２は、伸長状態において、吸収体４の長手方向の長さと略同じ長さでペット用吸収性物品１の長手方向ＬＤに沿う一対の側部１７それぞれに配置される。
【００３１】
第１弾性部材６１及び第２弾性部材６２としては、細長く、伸び縮みする材料であればよく、天然ゴムからなる糸状ゴム、平ゴム等や、ウレタン、エチレン−酢酸ビニル共重合体（ＥＶＡ）、ＰＥ等の熱可塑性エラストマーを用いることができる。更に具体的には、熱可塑性エラストマーとしては、ポリブタジエン、ポリイソプレン、スチレン−ブタジエン共重合体、スチレン−イソプレン共重合体、ポリウレタン、エチレン−酢酸ビニル共重合体、エチレン−αオレフィン共重合体等を糸状に成形するか又はフィルムに成型し細幅にスリットしたものが挙げられる。
【００３２】
第１フック部材７１は、図１及び図３に示すように、第１端部１１の外面（裏面層３側の面）に配置される。この第１フック部材７１は、矩形形状に構成され、長手方向がペット用吸収性物品１の幅方向ＷＤに沿うように配置されて、第１端部１１の外面に接合される。第１実施形態では、第１フック部材７１は、第１フック部材７１の長手方向に沿う側縁が第１端部１１の端縁１１ａに一致するように配置される。
【００３３】
図３に示すように、第１フック部材７１の長手方向の長さＷ１は、吸収体４の幅Ｗ２よりも長く構成される。この第１フック部材の長手方向の長さＷ１は、ペット用吸収性物品１をペットに装着する場合の第１端部１１と第２端部１２との係合力を好適に得る観点から、ペット用吸収性物品１の幅方向ＷＤの長さＷ３の３０％〜８０％であることが好ましく、４５％〜７０％であることがより好ましい。
【００３４】
第１フック部材７１は、図４に示すように、矩形形状の基部７１１と、この基部７１１の一方の面に設けられる複数のフック部７１２と、を備える。
第１フック部材７１は、ポリプロピレン等の合成樹脂材により基部７１１及び複数のフック部７１２が一体的に形成される。
【００３５】
第２フック部材７２は、図１及び図３に示すように、第２端部１２の外面（裏面層３側の面）に配置される。この第２フック部材７２は、矩形形状に構成され、長手方向がペット用吸収性物品１の幅方向ＷＤに沿うように配置されて、第２端部１２の外面に接合される。第１実施形態では、第２フック部材７２は、第２フック部材７２の長手方向に沿う側縁が第２端部１２の端縁１２ａに一致するように配置される。
【００３６】
第２フック部材７２は、第２端部１２の端縁１２ａ側を裏面層３側に折り返した場合に、この第２端部１２の端縁１２ａ側を好適に後述する第２フック部材係合部８２（裏面層３）に係合させる観点から、少なくともペット用吸収性物品１の一対の側部１７の近傍に配置されることが好ましい。
第１実施形態では、図３に示すように、第２フック部材７２の長手方向の長さＷ４及び幅方向の長さＬ２は、第１フック部材７１の長手方向の長さＷ１及び幅方向の長さＬ１と同じ長さに構成される。
【００３７】
第２フック部材７２は、図６に示すように、矩形形状の基部７２１と、この基部７２１の一方の面に設けられる複数のフック部７２２と、を備える。
第２フック部材７２は、ポリプロピレン等の合成樹脂材により基部７２１及び複数のフック部７２２が一体的に形成される。
【００３８】
第１フック部材係合部８１は、図１及び図２に示すように、ペット用吸収性物品１の第２端部１２の近傍の内面（表面シート２側）に設けられる。この第１フック部材係合部８１には、ペット用吸収性物品１をペットに装着する場合に、第１フック部材７１が係合される。第１実施形態では、第１フック部材係合部８１は、第２端部１２の近傍に配置された表面シート２及び一対のサイドシート５により構成される。
【００３９】
第２フック部材係合部８２は、図１及び図３に示すように、ペット用吸収性物品１の第１端部１１の近傍の裏面層３側であって、第１フック部材７１よりも第２端部１２側に設けられる。この第２フック部材係合部８２には、第１フック部材７１と第１フック部材係合部８１とが係合された状態で、裏面層３側に折り込まれた第２フック部材７２が係合される。第１実施形態では、第２フック部材係合部８２は、第１端部１１の近傍に配置された裏面シート３１により構成される。
【００４０】
第３フック部材係合部８３は、図２に示すように、ペット用吸収性物品１の第１端部１１の近傍の内面（表面シート２側）に設けられる。この第３フック部材係合部８３は、第２フック部材７２が係合可能に構成される。第１実施形態では、第３フック部材係合部８３は、第１端部１１の近傍に配置された表面シート２及び一対のサイドシート５により構成される。
【００４１】
第４フック部材係合部８４は、図３に示すように、ペット用吸収性物品１の第２端部１２の近傍の裏面層３側における第２フック部材７２よりも第１端部１１側に設けられる。この第４フック部材係合部８４には、裏面層３側に折り返された第１フック部材７１が係合される。第１実施形態では、第４フック部材係合部８４は、第２端部１２の近傍に配置された裏面シート３１により構成される。
【００４２】
以上のペット用吸収性物品１は、第１弾性部材６１がペット用吸収性物品１の長手方向ＬＤに沿って伸長状態で一対のサイドシート５に固定されている。また、第２弾性部材６２がペット用吸収性物品１の長手方向ＬＤに沿って伸長状態でサイドシート５と裏面シート３１との間に固定されている。
そのため、ペット用吸収性物品１は、自然状態（外力を付加しない状態）では、第１弾性部材６１及び第２弾性部材６２が収縮して、図１に示すように、表面シート２側が内面を構成するように第１端部１１と第２端部１２とが近づいた立体的な形状となる。これにより、ペット用吸収性物品１の長手方向ＬＤに沿う一対の側部１７に、長手方向ＬＤに伸縮可能な一対の胴回りギャザー部１３が形成される（図１参照）。また、一対のサイドシート５における自由端側が立ち上がり、一対のサイドシート５の内面と表面シート２の外面との間に、それぞれ、ポケット部１４，１５が形成される（図５参照）。
【００４３】
次に、第１実施形態のペット用吸収性物品１をペットに取り付ける手順について、図７〜図１０を参照しながら説明する。図７〜図１０は、第１実施形態のペット用吸収性物品１をペットに装着する過程を示す図であり、図７は、第１端部１１をペットの背中に位置させた状態を示す図であり、図８は、第２端部１２側を第１端部１１に係合させてペット用吸収性物品１をペットの胴回りに装着した状態を示す図である。図９は、ペットの胴回りに装着したペット用吸収性物品１の第２端部１２側を折り返して、第２フック部材７２を第２フック部材係合部８２に係合させた状態を示す図である。図１０は、ペット用吸収性物品１を装着したペットに、更にペット用おむつ６００を装着した状態を示す図である。
【００４４】
まず、図７に示すように、ペット用吸収性物品１の第１端部１１をペットの背中に位置させて、この第１端部１１の近傍を装着者の片方の手で押さえる。次いで、第１端部１１の近傍を片方の手で押さえたまま、ペット用吸収性物品１の第２端部１２を他方の手で持って、ペット用吸収性物品１をペットの腹側を覆うように巻きつける。
【００４５】
次いで、ペット用吸収性物品１の第２端部１２を引っ張って、一対の胴回りギャザー部１３をペットの胴回りと密着させる。
次いで、図８に示すように、ペット用吸収性物品の第２端部１２の内面に設けられた第１フック部材係合部８１を、第１端部１１の外面（裏面シート３１側の面）に配置された第１フック部材７１に係合させる。これにより、ペット用吸収性物品１がペットの胴回りに巻きつけられる。
【００４６】
ここで、ペット用吸収性物品１の長さに比して、装着対象のペットの胴回りの大きさが小さい場合（胴が細い場合）には、第１フック部材７１には、第２端部１２の近傍における、第２端部１２の端縁１２ａから所定の長さ第１端部１１よりの部分が係合される。そして、第２端部１２の近傍における第１フック部材７１との係合位置よりも第２端部１２の端縁１２ａ側は、自由端となっている（図８参照）。
そこで、第１実施形態では、次いで、図９に示すように、ペット用吸収性物品１の第２端部１２を内側に折り込んで、第２フック部材７２を、第２フック部材係合部８２に係合させる。これにより、ペット用吸収性物品１において自由端となっていた第２端部１２の端縁１２ａ側が、第２フック部材７２によって、ペット用吸収性物品１における胴回りに巻きつけられた部分に係合されるので、装着後のペットの動き等により第２端部１２側がめくれ上がらない。
【００４７】
また、第１実施形態のペット用吸収性物品１は、主としてペットの肛門部及び後足の付け根間を覆うペット用おむつと併用する場合がある。このような場合には、ペット用吸収性物品１をペットの胴回りに巻きつけて、第２フック部材７２を折り返さない状態（図８参照）において、ペット用おむつ６００を装着することで、図１０に示すように、第２フック部材７２をペット用おむつ６００の内面に係合させられる。これにより、ペット用吸収性物品１が装着位置からずれたり、装着後のペット用吸収性物品１が外れたりすることを防げる。
【００４８】
また、第１実施形態では、第１端部１１の近傍の表面シート２側に、第２フック部材７２に係合可能な第３フック部材係合部８３を設け、第２端部１２の近傍の裏面層３側における第２フック部材７２よりも第１端部１１側に、第１フック部材７１に係合可能な第４フック部材係合部８４を設けた。これにより、ペット用吸収性物品１を装着する場合に、第１フック部材７１が配置された第１端部１１ではなく、第２フック部材７２が配置された第２端部１２をペットの背中に位置させても、第２フック部材７２と第３フック部材係合部８３とを係合させてペット用吸収性物品１をペットの胴回りに装着させられる。また、ペット用吸収性物品１の第１端部１１を内側に折り込んで、第１フック部材７１を、第４フック部材係合部８４に係合させられる。
【００４９】
次に、第１実施形態のペット用吸収性物品１の製造方法について、図１１Ａ〜図１１Ｃを参照しながら説明する。図１１Ａ〜図１１Ｃは、ペット用吸収性物品１の製造方法におけるそれぞれの工程の平面図を示す。
【００５０】
本発明のペット用吸収性物品１の製造方法は、連続体形成工程Ｓ１と、フック部材配置工程Ｓ２と、切断工程Ｓ３と、を備える。
【００５１】
連続体形成工程Ｓ１では、ペット用吸収性物品本体の連続体１００が形成される。より具体的には、連続体形成工程Ｓ１では、図１１Ａに示すように、帯状の表面シート２００と帯状の裏面層３００との間に、長手方向に所定間隔をあけて吸収体４が配置される。また、帯状の表面シート２００の一対の側部１７に、それぞれ、帯状のサイドシート５００が配置される。
【００５２】
フック部材配置工程Ｓ２では、図１１Ｂに示すように、ペット用吸収性物品本体の連続体１００における帯状の裏面層３００側に、長手方向に所定間隔をあけてフック部材７００が配置される。このフック部材７００は、ペット用吸収性物品本体の連続体１００における吸収体４が配置されていない領域に配置される。
【００５３】
切断工程Ｓ３では、図１１Ｃに示すように、フック部材配置工程Ｓ２においてフック部材７００が配置されたペット用吸収性物品本体の連続体１００が、長手方向に所定間隔をあけて幅方向に切断される。より具体的には、切断工程Ｓ３では、ペット用吸収性物品本体の連続体１００が、フック部材７００を流れ方向に二等分する位置において切断される。これにより、二等分されたフック部材７００の一方により第１フック部材７１が形成され、二等分されたフック部材７００の他方により第２フック部材７２が形成された第１実施形態のペット用吸収性物品１が製造される。
【００５４】
以上説明した第１実施形態のペット用吸収性物品１及びペット用吸収性物品１の製造方法によれば、以下のような作用効果を奏する。
【００５５】
（１）ペット用吸収性物品１の長さに比して、装着対象のペットの胴回りの大きさが小さい場合（胴が細い場合）には、第１フック部材７１が配置された第１端部１１をペットの背中に位置させた状態でペット用吸収性物品１をペットの胴回りに巻きつけると、第１フック部材７１には、第２端部１２の近傍における、第２端部１２の端縁１２ａから所定の長さ第１端部１１よりの部分が係合される。そして、第２端部１２の近傍における第１フック部材７１との係合位置よりも第２端部１２の端縁１２ａ側は、自由端となってしまう。そこで、第２端部１２の裏面層３側に第２フック部材７２を配置すると共に、第１端部１１の近傍の裏面層３側であって第１フック部材７１よりも第２端部１２側に、第２フック部材７２が係合可能な第２フック部材係合部８２を設けた。これにより、胴回りの大きさの小さいペットにペット用吸収性物品１を装着した場合に、自由端となったペット用吸収性物品１の第２端部１２側を内側に折り込んで、第２フック部材７２を、第２フック部材係合部８２に係合させられる。よって、ペット用吸収性物品１において自由端となっていた第２端部１２の端縁１２ａ側を、第２フック部材７２によって、ペット用吸収性物品１における胴回りに巻きつけられた部分に係合させられるので、装着後のペットの動き等により第２端部１２側がめくれ上がらない。
また、ペット用吸収性物品１を、主としてペットの肛門部及び後足の付け根間を覆うペット用おむつ６００と併用する場合には、ペット用吸収性物品１をペットの胴回りに巻きつけて、第２フック部材７２を折り込まない状態において、ペット用おむつ６００を装着することで、第２フック部材７２をペット用おむつ６００の内面に係合させられる。これにより、ペット用吸収性物品１が装着位置からずれたり、装着後のペット用吸収性物品１が外れたりすることを防げる。
【００５６】
（２）第２フック部材７２を、ペット用吸収性物品１における吸収体４が配置されていない領域に配置した。これにより、ペット用吸収性物品１における第２フック部材７２の第１端部１１側の領域を、吸収体４を含まずに構成できるので、当該領域の曲げ剛性を小さく構成できる。よって、第２フック部材７２を裏面層３側に折り返して第２フック部材係合部８２に係合させた場合に、第２フック部材７２と第２フック部材係合部８２との係合を外れにくくできる。
【００５７】
（３）ペット用吸収性物品１を、第１端部１１の近傍における表面シート２側に設けられ第２フック部材７２に係合可能な第３フック部材係合部８３と、第２端部１２の近傍の裏面層３側における第２フック部材７２よりも第１端部１１側に設けられ第１フック部材７１が係合可能な第４フック部材係合部８４と、を含んで構成した。これにより、ペット用吸収性物品１を装着する場合に、第１フック部材７１が配置された第１端部１１ではなく、第２フック部材７２が配置された第２端部１２をペットの背中に位置させても、第２フック部材７２と第３フック部材係合部８３とを係合させてペット用吸収性物品１をペットの胴回りに装着させられる。また、ペット用吸収性物品１の第１端部１１側を内側に折り込んで、第１フック部材７１を、第４フック部材係合部８４に係合させられる。
【００５８】
（４）表面シート２及びサイドシート５を、第１フック部材７１に係合可能な不織布により構成し、第１フック部材係合部８１及び第３フック部材係合部８３を、表面シート２及びサイドシート５により構成した。これにより、第１フック部材７１及び第２フック部材７２に係合可能な部材を別途配置することなく、第１フック部材係合部８１及び第３フック部材係合部８３を構成できるので、ペット用吸収性物品１の製造に係る部材の点数を削減できる。
【００５９】
（５）裏面層３を、第１フック部材７１及び第２フック部材７２に係合可能な裏面シート３１を含んで構成し、第２フック部材係合部８２及び第４フック部材係合部８４を、裏面シート３１により構成した。これにより、第１フック部材７１及び第２フック部材７２に係合可能な部材を別途配置することなく、第２フック部材係合部８２及び第４フック部材係合部８４を構成できるので、ペット用吸収性物品１の製造に係る部材の点数を削減できる。
【００６０】
（６）ペット用吸収性物品１を、ペット用吸収性物品の連続体１００におけるフック部材７００が配置された位置において、このペット用吸収性物品の連続体１００を幅方向に切断する切断工程Ｓ３を含む製造方法により製造した。これにより、フック部材配置工程Ｓ２で配置したフック部材７００を切断工程Ｓ３において切断することで、第１フック部材７１及び第２フック部材７２を備えるペット用吸収性物品１を製造できる。よって、ペット用吸収性物品１の製造効率を向上できる。
【００６１】
次に、本発明の第２実施形態に係るペット用吸収性物品１Ａについて、図１２を参照しながら説明する。図１２は、第２実施形態のペット用吸収性物品１Ａを裏面層３側から視た平面図である。
尚、第２実施形態以降の説明にあたって、同一構成要件については同一符号を付し、その説明を省略もしくは簡略化する。
【００６２】
第２実施形態のペット用吸収性物品１Ａは、第１フック部材７１Ａ及び第２フック部材７２Ａがそれぞれ、複数の分離フック部材により構成されている点で、第１実施形態と異なる。
第２実施形態では、第１フック部材７１Ａは、矩形形状の一対の分離フック部材７１１Ａにより構成される。また、第２フック部材７２Ａは、矩形形状の一対の分離フック部材７２１Ａにより構成される。
そして、一対の分離フック部材７１１Ａ，７２１Ａは、図１２に示すように、ペット用吸収性物品１の幅方向ＷＤの中央部において、互いに幅方向ＷＤに離間して配置される。即ち、第２実施形態においては、第１フック部材７１Ａの長手方向の中央部には、第１フック部材７１Ａが配置されない離間部が設けられ、第２フック部材７２Ａの長手方向の中央部には、第２フック部材７２Ａが配置されない離間部が設けられている。
【００６３】
次に、第２実施形態のペット用吸収性物品１Ａの装着方法について、図１３及び図１４を参照しながら説明する。図１３は、第２実施形態のペット用吸収性物品１Ａをペットの胴回りに装着した状態を示す図である。図１４は、第２実施形態のペット用吸収性物品１Ａを装着したペットに、更にペット用おむつ６００を装着した状態を示す図である。
【００６４】
第２実施形態のペット用吸収性物品１Ａは、ペット用おむつ６００と併用しない場合には、一対の分離フック部材７２１Ａを内側に折り込んで第２フック部材係合部８２に係合させる（図９参照）。
一方、ペット用吸収性物品１Ａをペット用おむつ６００と併用する場合には、図１３に示すように、一対の分離フック部材７２１Ａのうちのペットの身体の前方に位置する側の分離フック部材７２１Ａのみを内側に折り込んで第２フック部材係合部８２に係合させる。次いで、図１４に示すように、一対の分離フック部材７２１Ａのうちのペットの身体の後方に位置する側の分離フック部材７２１Ａの少なくとも一部を覆うように、ペット用おむつ６００を装着する。これにより、身体の後方に位置する側の分離フック部材７２１Ａをペット用おむつ６００の内面に係合させられるので、ペット用吸収性物品１Ａが装着位置からずれたり、装着後のペット用吸収性物品１Ａが外れたりすることを防げる。また、身体の前方に位置する側の分離フック部材７２１Ａ、即ち、第２フック部材７２Ａのうちのペット用おむつ６００に係合されない部分、を第２フック部材係合部８２に係合させられる。
【００６５】
第２実施形態のペット用吸収性物品１Ａによれば、上述した（１）〜（６）の作用効果を奏する他、以下のような作用効果を奏する。
【００６６】
（７）第２フック部材７２Ａを、一対の分離フック部材７２１Ａにより構成し、一対の分離フック部材７２１Ａを、ペット用吸収性物品１Ａの幅方向ＷＤに離間させて配置した。これにより、一対の分離フック部材７２１Ａのうちの一方の分離フック部材７２１Ａのみを折り返して第２フック部材係合部８２に係合させられるので、ペット用吸収性物品１Ａをペット用おむつ６００と併用した場合に、第２フック部材７２Ａのうちのペット用おむつ６００に係合されない部分を第２フック部材係合部８２に係合させられる。よって、ペット用吸収性物品１Ａをペット用おむつ６００と併用した場合においても、第２端部１２におけるペット用おむつ６００に覆われていない部分がめくれ上がることを防げる。
【００６７】
次に、本発明の第３実施形態に係るペット用吸収性物品１Ｂについて、図１５を参照しながら説明する。図１５は、第３実施形態のペット用吸収性物品１Ｂを裏面層３側から視た平面図である。
第３実施形態のペット用吸収性物品１Ｂは、一対の分離フック部材７１１Ｂ，７２１Ｂの構成において、第２実施形態と異なる。
第３実施形態では、一対の分離フック部材７１１Ｂは、長さの異なる２つの分離フック部材７１１Ｂにより構成され、一対の分離フック部材７２１Ｂは、長さの異なる２つの分離フック部材７２１Ｂにより構成される。これにより、第３実施形態では、一対の分離フック部材７１１Ｂ，７２１Ｂは、ペット用吸収性物品１Ｂの幅方向ＷＤの一方に偏った位置で離間している。
【００６８】
第３実施形態のペット用吸収性物品１Ｂによれば、上述した（１）〜（７）の作用効果を奏する他、以下のような作用効果を奏する。
【００６９】
（８）一対の分離フック部材７１１Ｂを、長さの異なる２つの分離フック部材７１１Ｂにより構成し、一対の分離フック部材７２１Ｂを、長さの異なる２つの分離フック部材７２１Ｂにより構成した。これにより、第３実施形態では、一対の分離フック部材７１１Ｂ，７２１Ｂを、ペット用吸収性物品１Ｂの幅方向ＷＤの一方に偏った位置で離間させられる。よって、ペット用吸収性物品１Ｂの装着の向きを変えることで、装着状態における一対の分離フック部材７１１Ｂ，７２１Ｂが離間する位置を変更できるので、ペット用吸収性物品１Ｂをペット用おむつと併用する場合におけるペット用吸収性物品１Ｂの装着位置をより好適な位置に配置できる。
【００７０】
以上、本発明の好ましい各実施形態について説明したが、本発明は、上述した各実施形態に制限されるものではなく、適宜変更が可能である。
【００７１】
例えば、上述した各実施形態では、裏面層３を、裏面シート３１及び防水シート３２の２層により構成したが、これに限らない。即ち、裏面層を、裏面シート又は防水シートのみにより構成してもよい。
【００７２】
また、第１実施形態及び第２実施形態では、第１フック部材７１，７１Ａと第２フック部材７２，７２Ａとを同形同大に形成したが、これに限らない。即ち、第２フック部材の幅方向の長さ（ペット用吸収性物品の長手方向ＬＤに沿う方向の長さ）を、第１フック部材の幅方向の長さよりも短く構成してもよい。
【００７３】
また、第１実施形態及び第２実施形態では、表面シート２及び一対のサイドシート５を、第１フック部材７１及び第２フック部材７２に係合可能な不織布により構成して、第１フック部材係合部８１及び第３フック部材係合部８３を構成したが、これに限らない。即ち、第２端部の近傍の内面に第１フック部材に係合可能なループ材を配置して第１フック部材係合部を構成してもよく、また、第１端部の近傍の内面に第２フック部材に係合可能なループ材を配置して第３フック部材係合部を構成してもよい。
【００７４】
また、第１実施形態では、第１フック部材７１の幅方向の長さＬ１と、第２フック部材７２の幅方向の長さＬ２とを同じ長さに構成したが、これに限らない。即ち、第１フック部材の幅方向の長さＬ１と、第２フック部材の幅方向の長さＬ２とを異ならせて構成してもよい（例えば、第１フック部材の幅方向の長さＬ１を２０ｍｍとし、第２フック部材の幅方向の長さＬ２を１０ｍｍとしてもよい）。これにより、ペットの体型や、ペット用吸収性物品の装着の目的に合わせて、ペット用吸収性物品の装着の程度（はかせ方）を調整できる。
【００７５】
また、第２実施形態では、第１フック部材７１Ａ及び第２フック部材７２Ａを、いずれも、互いに幅方向ＷＤに離間して配置された一対の分離フック部材７１１Ａ，７２１Ａにより構成したが、これに限らない。即ち、第２フック部材のみを一対のフック部材により構成してもよい。
【００７６】
また、第２実施形態では、第１フック部材７１Ａ及び第２フック部材７２Ａを、それぞれ、一対の分離フック部材７１１Ａ，７２１Ａを離間させて配置して構成したがこれに限らない。即ち、第１フック部材及び／又は第２フック部材におけるペット用吸収性物品１の幅方向ＷＤの中央部に、ペット用吸収性物品１の長手方向ＬＤに延びる切込み部（スリット）を形成して、第１フック部材及び／又は第２フック部材におけるペット用吸収性物品１の幅方向ＷＤの中央部を離間させてもよい。
【００７７】
また、第２実施形態及び第３実施形態では、第１フック部材及び第２フック部材を、一対の分離フック部材により構成したが、これに限らない。即ち、図１６に示すように、第１フック部材７１Ｃ及び第２フック部材７２Ｃを、それぞれ、３つ以上の分離フック部材７１１Ｃ，７２１Ｃにより構成し、２以上の離間部を設けてもよい。これにより、ペット用吸収性物品１Ｃをペット用おむつと併用する場合におけるペット用吸収性物品１Ｃの装着位置の調整をより細かく行える。
【符号の説明】
【００７８】
１，１Ａ，１Ｂ，１Ｃ  ペット用吸収性物品
２  表面シート
３  裏面層
４  吸収体
５  サイドシート
１１  第１端部
１２  第２端部
１７  側部
３１  裏面シート
３２  防水シート
７１，７１Ａ，７１Ｂ，７１Ｃ  第１フック部材
７２，７２Ａ，７２Ｂ，７２Ｃ  第２フック部材）
８１  第１フック部材係合部
８２  第２フック部材係合部
８３  第３フック部材係合部
８４  第４フック部材係合部
Ｓ１  連続体形成工程
Ｓ２  フック部材配置工程
Ｓ３  切断工程
ＬＤ  ペット用吸収性物品の長手方向
ＷＤ  ペット用吸収性物品の幅方向
【図１】
0005748598.tif 000002
【図２】
0005748598.tif 000003
【図３】
0005748598.tif 000004
【図４】
0005748598.tif 000005
【図５】
0005748598.tif 000006
【図６】
0005748598.tif 000007
【図７】
0005748598.tif 000008
【図８】
0005748598.tif 000009
【図９】
0005748598.tif 000010
【図１０】
0005748598.tif 000011
【図１１Ａ】
0005748598.tif 000012
【図１１Ｂ】
0005748598.tif 000013
【図１１Ｃ】
0005748598.tif 000014
【図１２】
0005748598.tif 000015
【図１３】
0005748598.tif 000016
【図１４】
0005748598.tif 000017
【図１５】
0005748598.tif 000018
【図１６】
0005748598.tif 000019